(57)【特許請求の範囲】
【請求項１】
圧縮された第１デジタル放送及び第２デジタル放送を含む電波を受信し、前記第１デジタル放送又は前記第２デジタル放送の映像データを出力するデジタル放送受信装置であって、
前記電波を受信する受信部と、
前記受信部により受信された前記電波をデジタル信号に復調する復調部と、
前記デジタル信号に含まれる基準となるクロックの情報から生成されたクロックでカウント値をカウントするカウンタ部と、
前記デジタル信号に含まれる第１デジタル放送の映像データを復号し、復号した映像データを出力する第１復号部と、
前記デジタル信号に含まれる第２デジタル放送の映像データを復号し、復号した映像データを出力する第２復号部と、
前記第１復号部により出力される映像データ及び前記第２復号部により出力される映像データのうち一方を選択する選択部と、
前記選択部により選択された映像データを出力する出力部とを備え、
前記第１復号部は、
前記第１復号部により出力される映像データが前記選択部により選択されている場合、前記デジタル信号に含まれる、当該映像データの表示時刻を示すタイムスタンプと、前記カウント値との差が所定値内のときに当該映像データを出力する同期復号部と、
前記第１復号部により出力される映像データが前記選択部により選択されていない場合、予め定められた周期のタイミングに対してオフセット値分だけ遅らせた、又は早めたタイミングで当該映像データを出力する非同期復号部とを備える
ことを特徴とするデジタル放送受信装置。
【請求項２】
前記同期復号部は、前記選択部により選択される映像データが、前記第２復号部により出力される映像データから前記第１復号部により出力される映像データに切り替えられた後に最初に出力する映像データとして、前記非同期復号部により復号された映像データを、当該映像データの前記タイムスタンプと前記カウント値との差が所定値内のときに出力する
ことを特徴とする請求項１記載のデジタル放送受信装置。
【請求項３】
前記非同期復号部は、前記オフセット値を設定するオフセット設定部を備え、
前記オフセット設定部は、
前記選択部により選択される映像データが、前記第２復号部により出力される映像データから前記第１復号部により出力される映像データに切り替えられた時刻において前記非同期復号部により復号されている映像データの前記タイムスタンプと、当該時刻における前記カウント値との差分値を算出する算出部を備え、
前記オフセット設定部は、前記算出部により算出された差分値を前記オフセット値として設定する
ことを特徴とする請求項１又は２記載のデジタル放送受信装置。
【請求項４】
前記オフセット設定部は、さらに、
前記差分値を格納する格納部と、
新たに前記算出部により算出された差分値と、前記格納部に格納されている前記差分値とを加算したうえで、新たな差分値として前記格納部に格納する加算部とを備え、
前記オフセット設定部は、前記格納部に格納される前記差分値を前記オフセット値として設定する
ことを特徴とする請求項３記載のデジタル放送受信装置。
【請求項５】
前記オフセット設定部は、さらに、
前記差分値を格納する格納部と、
新たに前記算出部により算出された差分値と、前記格納部に格納されている差分値とを加算する加算部と、
前記加算部により加算された差分値と、前記格納部に格納されている差分値との平均値を算出したうえで、当該平均値を新たな差分値として前記格納部に格納する平均部とを備え、
前記オフセット設定部は、前記格納部に格納される前記差分値を前記オフセット値として設定する
ことを特徴とする請求項３記載のデジタル放送受信装置。
【請求項６】
前記オフセット設定部は、さらに、
前記受信部により受信される電波が変更された際に、前記オフセット値を予め定められた初期値に戻す
ことを特徴とする請求項３、４又は５記載のデジタル放送受信装置。
【請求項７】
前記オフセット設定部は、さらに、
前記受信部が受信可能な複数の電波のそれぞれに対応し、対応する電波の受信時に前記算出部により算出された前記差分値を格納する複数の格納部を備え、
前記オフセット設定部は、前記受信部により受信される電波が変更された際に、複数の前記格納部のうち変更された後の電波に対応する格納部に格納される前記差分値を前記オフセット値として設定する
ことを特徴とする請求項３記載のデジタル放送受信装置。
【請求項８】
前記復調部は、前記電波を前記デジタル信号であるトランスポートストリームに変換する
ことを特徴とする請求項１〜７のいずれか１項に記載のデジタル放送受信装置。
【請求項９】
前記基準となるクロックの情報は、ＰＣＲ（Ｐｒｏｇｒａｍ  Ｃｌｏｃｋ  Ｒｅｆｅｒｅｎｃｅ）であり、
前記タイムスタンプは、ＰＴＳ（Ｐｒｅｓｅｎｔａｔｉｏｎ  Ｔｉｍｅ  Ｓｔａｍｐ）である
ことを特徴とする請求項１〜８のいずれか１項に記載のデジタル放送受信装置。
【請求項１０】
前記第１デジタル放送及び前記第２デジタル放送は、同一コンテンツに対応する、画質の異なるデジタル放送であり、
前記電波は、前記第１デジタル放送及び前記第２デジタル放送が１つのチャンネルに階層化されて放送される電波である
ことを特徴とする請求項１〜９のいずれか１項に記載のデジタル放送受信装置。
【請求項１１】
前記第１復号部は、ＭＰＥＧ２又はＨ．２６４に準拠した復号を行い、
前記第２復号部は、ＭＰＥＧ２又はＨ．２６４に準拠した復号を行う
ことを特徴とする請求項１０記載のデジタル放送受信装置。
【請求項１２】
前記第１デジタル放送及び前記第２デジタル放送の一方は、地上波デジタル放送におけるフルセグメント放送であり、
前記第１デジタル放送及び前記第２デジタル放送の他方は、地上波デジタル放送におけるワンセグメント放送である
ことを特徴とする請求項１０又は１１記載のデジタル放送受信装置。
【請求項１３】
前記第１デジタル放送及び前記第２デジタル放送の一方は、衛星波デジタル放送における弱階層の放送であり、
前記第１デジタル放送及び前記第２デジタル放送の他方は、衛星波デジタル放送における強階層の放送である
ことを特徴とする請求項１０記載のデジタル放送受信装置。
【請求項１４】
前記第１デジタル放送及び前記第２デジタル放送は、異なるチャンネルに対応するデジタル放送であり、
前記受信部は、異なるチャンネルの２つの電波を同時に受信し、
前記復調部は、前記受信部により受信された２つの電波を、それぞれ第１デジタル信号及び第２デジタル信号に復調し、
前記第１復号部は、前記第１デジタル信号に含まれる前記第１デジタル放送の映像データを復号し、復号した映像データを出力し、
前記第２復号部は、前記第２デジタル信号に含まれる前記第２デジタル放送の映像データを復号し、復号した映像データを出力する
ことを特徴とする請求項１〜９のいずれか１項に記載のデジタル放送受信装置。
【請求項１５】
圧縮された第１デジタル放送及び第２デジタル放送を含む電波から、前記第１デジタル放送及び前記第２デジタル放送の映像データを復号し、復号した前記第１デジタル放送又は前記第２デジタル放送の映像データを出力する半導体集積回路であって、
前記電波をデジタル信号に復調する復調部と、
前記デジタル信号に含まれる基準となるクロックの情報から生成されたクロックでカウント値をカウントするカウンタ部と、
前記デジタル信号に含まれる第１デジタル放送の映像データを復号し、復号した映像データを出力する第１復号部と、
前記デジタル信号に含まれる第２デジタル放送の映像データを復号し、復号した映像データを出力する第２復号部と、
前記第１復号部により出力される映像データ及び前記第２復号部により出力される映像データのうち一方を選択する選択部と、
前記選択部により選択された映像データを出力する出力部とを備え、
前記第１復号部は、
前記第１復号部により出力される映像データが前記選択部により選択されている場合、前記デジタル信号に含まれる、当該映像データの表示時刻を示すタイムスタンプと、前記カウント値との差が所定値内のときに当該映像データ出力する同期復号部と、
前記第１復号部により出力される映像データが前記選択部により選択されていない場合、予め定められた周期のタイミングに対してオフセット値分だけ遅らせた、又は早めたタイミングで当該映像データを出力する非同期復号部とを備える
ことを特徴とする半導体集積回路。
【請求項１６】
圧縮された第１デジタル放送及び第２デジタル放送を含む電波から、前記第１デジタル放送及び前記第２デジタル放送の映像データを復号し、復号した前記第１デジタル放送又は前記第２デジタル放送の映像データを出力するデジタル放送受信装置におけるデジタル放送受信方法であって、
前記デジタル放送受信装置は、
前記電波をデジタル信号に復調する復調部と、
前記デジタル信号に含まれる基準となるクロックの情報から生成されたクロックでカウント値をカウントするカウンタ部と、
前記デジタル信号に含まれる第１デジタル放送の映像データを復号し、復号した映像データを出力する第１復号部と、
前記デジタル信号に含まれる第２デジタル放送の映像データを復号し、復号した映像データを出力する第２復号部と、
前記第１復号部により出力される映像データ及び前記第２復号部により出力される映像データのうち一方を選択する選択部と、
前記選択部により選択された映像データを出力する出力部とを備え、
前記第１復号部により出力される映像データが前記選択部により選択されている場合、前記第１復号部に、前記デジタル信号に含まれる、当該映像データの表示時刻を示すタイムスタンプと、前記カウント値との差が所定値内のときに当該映像データ出力させ、
前記第１復号部により出力される映像データが前記選択部により選択されていない場合、前記第１復号部に、予め定められた周期のタイミングに対してオフセット値分だけ遅らせた、又は早めたタイミングで当該映像データを出力させる
ことを特徴とするデジタル放送受信方法。
【請求項１７】
圧縮された第１デジタル放送及び第２デジタル放送を含む電波から、前記第１デジタル放送及び前記第２デジタル放送の映像データを復号し、復号した前記第１デジタル放送又は前記第２デジタル放送の映像データを出力するデジタル放送受信装置におけるデジタル放送受信方法のプログラムであって、
前記デジタル放送受信装置は、
前記電波をデジタル信号に復調する復調部と、
前記デジタル信号に含まれる基準となるクロックの情報から生成されたクロックでカウント値をカウントするカウンタ部と、
前記デジタル信号に含まれる第１デジタル放送の映像データを復号し、復号した映像データを出力する第１復号部と、
前記デジタル信号に含まれる第２デジタル放送の映像データを復号し、復号した映像データを出力する第２復号部と、
前記第１復号部により出力される映像データ及び前記第２復号部により出力される映像データのうち一方を選択する選択部と、
前記選択部により選択された映像データを出力する出力部とを備え、
前記第１復号部により出力される映像データが前記選択部により選択されている場合、前記第１復号部に、前記デジタル信号に含まれる、当該映像データの表示時刻を示すタイムスタンプと、前記カウント値との差が所定値内のときに当該映像データ出力させ、
前記第１復号部により出力される映像データが前記選択部により選択されていない場合、前記第１復号部に、予め定められた周期のタイミングに対してオフセット値分だけ遅らせた、又は早めたタイミングで当該映像データを出力させるデジタル放送受信方法をコンピュータに実行させる
ことを特徴とするプログラム。
【発明の詳細な説明】
【技術分野】
【０００１】
本発明は、デジタル放送受信装置、半導体集積回路及びデジタル放送受信方法に関し、特に、圧縮された第１デジタル放送及び第２デジタル放送を含む電波を受信し、第１デジタル放送又は第２デジタル放送の映像データを出力するデジタル放送受信装置に関する。
【背景技術】
【０００２】
地上波デジタルテレビ放送では、据置機器向けのフルセグメント放送（以下、フルセグ）と、携帯機器及び移動体向けのワンセグメント放送（以下、ワンセグ）とが各チャンネルにおける複数の階層で同時に放送されている。つまり、各チャンネルにおける複数の階層で同時に画質の異なる同一のコンテンツが放送されている。
【０００３】
カーナビゲーションシステム及び車載用テレビ等の携帯機器及び移動体に搭載されるデジタル放送受信装置として、フルセグ及びワンセグを受信し、デジタル放送信号の受信状況と、デジタルデータの復元状況と、その他種々の条件とによって視聴対象とする階層を自動的に決定するデジタル放送受信装置が提案されている。
【０００４】
具体的には、デジタル放送受信装置は、受信状況が良い場合には、高画質のフルセグを視聴対象とし、受信状況が悪い場合には、低画質であるが受信が容易なワンセグを視聴対象とする。
【０００５】
例えば、視聴対象を自動的に切り替えるデジタル放送受信装置として、特許文献１記載のデジタル放送受信装置が知られている。
【０００６】
また、特許文献１記載のデジタル放送受信装置は、表示タイミングの時間差を用いて、予め表示タイミングの遅いほうのフレームを表示タイミングの早いほうのフレームに合わせて復号化することで、視聴対象を切り替えた際の視聴者の違和感を低減できる。
【特許文献１】特開２００７−４９４６０号公報
【発明の開示】
【発明が解決しようとする課題】
【０００７】
しかしながら、表示タイミングの早い方のフレームを遅いほうのフレームに合わせることで、表示タイミングの早い方のフレームは実際表示しなければならない時間よりも表示が遅くなってしまう。例えば、映像に時計表示などがある場合、時計が実際の時間よりも遅れて表示されてしまう。
【０００８】
また、視聴対象を自動的に切り替えるデジタル放送受信装置では、視聴対象の切り替え時間をより短縮することが望まれる。具体的には、切り替え時に画像が表示されない時間を短縮することで、視聴者に対する違和感を低減できる。
【０００９】
本発明はこれらの課題を解決するものであり、表示タイミングを遅らすことなく、切り替え時間を短縮できるデジタル放送受信装置及びデジタル放送受信方法を提供することを目的とする。
【課題を解決するための手段】
【００１０】
上記目的を達成するために、本発明に係るデジタル放送受信装置は、圧縮された第１デジタル放送及び第２デジタル放送を含む電波を受信し、前記第１デジタル放送又は前記第２デジタル放送の映像データを出力するデジタル放送受信装置であって、前記電波を受信する受信部と、前記受信部により受信された前記電波をデジタル信号に復調する復調部と、前記デジタル信号に含まれる基準となるクロックの情報から生成されたクロックでカウント値をカウントするカウンタ部と、前記デジタル信号に含まれる第１デジタル放送の映像データを復号し、復号した映像データを出力する第１復号部と、前記デジタル信号に含まれる第２デジタル放送の映像データを復号し、復号した映像データを出力する第２復号部と、前記第１復号部により出力される映像データ及び前記第２復号部により出力される映像データのうち一方を選択する選択部と、前記選択部により選択された映像データを出力する出力部とを備え、前記第１復号部は、前記第１復号部により出力される映像データが前記選択部により選択されている場合、前記デジタル信号に含まれる、当該映像データの表示時刻を示すタイムスタンプと、前記カウント値との差が所定値内のときに当該映像データを出力する同期復号部と、前記第１復号部により出力される映像データが前記選択部により選択されていない場合、予め定められた周期のタイミングに対してオフセット値分だけ遅らせた、又は早めたタイミングで当該映像データを出力する非同期復号部とを備える。
【００１１】
この構成によれば、第１復号部は、出力される映像データを復号する場合、基準となるクロックに同期した復号処理を行う。これにより、本発明に係るデジタル放送受信装置では、出力される映像データの表示タイミングは遅れない。
【００１２】
さらに、第１復号部は、視聴対象として選択されていない放送の映像データを基準となるクロックとは非同期なタイミングで復号し出力する。また、本発明に係るデジタル放送受信装置は、視聴対象の放送が切り替えられた際に、非同期復号部により復号された映像データを出力することで、切り替え後に復号処理を開始する場合に比べて、映像データを出力するまでの時間を短縮できる。
【００１３】
さらに、本発明に係るデジタル放送受信装置は、視聴対象として選択されていない放送の映像データの復号及び出力に関しては、カウンタ部のカウント値を用いない。よって、本発明に係るデジタル放送受信装置は、１つのカウンタ部のみを備えればよい。これにより、本発明に係るデジタル放送受信装置は、第１デジタル放送用及び第２デジタル放送用に２つのカウンタ部を備える場合に比べて、回路規模を縮小できる。
【００１４】
さらに、非同期復号部は、予め定められた周期のタイミングに対してオフセット値分遅れた、又は早めたタイミングで映像データを出力する。これにより、非同期復号部により映像データが出力されるタイミングを基準となるクロックにあわすことができる。よって、本発明に係るデジタル放送受信装置は、切り替え時に、非同期復号部で復号された映像データを直ちに出力できる。つまり、本発明に係るデジタル放送受信装置は、視聴対象が切り替えられた際の切り替え時間を短縮できる。
【００１５】
また、前記同期復号部は、前記選択部により選択される映像データが、前記第２復号部により出力される映像データから前記第１復号部により出力される映像データに切り替えられた後に最初に出力する映像データとして、前記非同期復号部により復号された映像データを、当該映像データの前記タイムスタンプと前記カウント値との差が所定値内のときに出力してもよい。
【００１６】
この構成によれば、本発明に係るデジタル放送受信装置は、視聴対象の放送が切り替えられた際の、最初に出力する映像データとして、非同期復号部により出力される映像データを用いる。これにより、本発明に係るデジタル放送受信装置は、切り替え後に復号処理を開始する場合に比べて、映像データを出力するまでの時間を短縮できる。
【００１７】
また、前記非同期復号部は、前記オフセット値を設定するオフセット設定部を備え、前記オフセット設定部は、前記選択部により選択される映像データが、前記第２復号部により出力される映像データから前記第１復号部により出力される映像データに切り替えられた時刻において前記非同期復号部により復号されている映像データの前記タイムスタンプと、当該時刻における前記カウント値との差分値を算出する算出部を備え、前記オフセット設定部は、前記算出部により算出された差分値を前記オフセット値として設定してもよい。
【００１８】
この構成によれば、本発明に係るデジタル放送受信装置は、同期復号部が出画していない状態から出画する状態に変更されたときの映像データの出力までにかかる時間をオフセット値として計測できる。これにより、本発明に係るデジタル放送受信装置は、次回の切り替え時に、出画までにかかる時間を短縮できるので、切り替え時の違和感を低減できる。
【００１９】
また、前記オフセット設定部は、さらに、前記差分値を格納する格納部と、新たに前記算出部により算出された差分値と、前記格納部に格納されている前記差分値とを加算したうえで、新たな差分値として前記格納部に格納する加算部とを備え、前記オフセット設定部は、前記格納部に格納される前記差分値を前記オフセット値として設定してもよい。
【００２０】
この構成によれば、本発明に係るデジタル放送受信装置は、前回計測されたオフセット値に新たに計測されたオフセット値を加算することで、直前に計測された差分値を反映したオフセット値を次回のオフセット値として用いることができる。
【００２１】
また、前記オフセット設定部は、さらに、前記差分値を格納する格納部と、新たに前記算出部により算出された差分値と、前記格納部に格納されている差分値とを加算する加算部と、前記加算部により加算された差分値と、前記格納部に格納されている差分値との平均値を算出したうえで、当該平均値を新たな差分値として前記格納部に格納する平均部とを備え、前記オフセット設定部は、前記格納部に格納される前記差分値を前記オフセット値として設定してもよい。
【００２２】
この構成によれば、本発明に係るデジタル放送受信装置は、電波状態が悪くＣＮが低い等により、算出部による差分値の算出が失敗した場合でも、前回のオフセット値との平均をとることでオフセット値に乖離した値が設定されることを防げる。
【００２３】
また、前記オフセット設定部は、さらに、前記受信部により受信される電波が変更された際に、前記オフセット値を予め定められた初期値に戻してもよい。
【００２４】
この構成によれば、本発明に係るデジタル放送受信装置は、受信する電波が変更された際に、乖離したオフセット値が設定されることを防げる。
【００２５】
また、前記オフセット設定部は、さらに、前記受信部が受信可能な複数の電波のそれぞれに対応し、対応する電波の受信時に前記算出部により算出された前記差分値を格納する複数の格納部を備え、前記オフセット設定部は、前記受信部により受信される電波が変更された際に、複数の前記格納部のうち変更された後の電波に対応する格納部に格納される前記差分値を前記オフセット値として設定してもよい。
【００２６】
この構成によれば、本発明に係るデジタル放送受信装置は、受信する電波が変更された場合でも、適切なオフセット値を設定できる。
【００２７】
また、前記復調部は、前記電波を前記デジタル信号であるトランスポートストリームに変換してもよい。
【００２８】
この構成によれば、本発明に係るデジタル放送受信装置は、トランスポートストリームに含まれる画像ストリーム及び音声ストリームを復号することで映像データを生成することができる。
【００２９】
また、前記基準となるクロックの情報は、ＰＣＲ（Ｐｒｏｇｒａｍ  Ｃｌｏｃｋ  Ｒｅｆｅｒｅｎｃｅ）であり、前記タイムスタンプは、ＰＴＳ（Ｐｒｅｓｅｎｔａｔｉｏｎ  Ｔｉｍｅ  Ｓｔａｍｐ）であってもよい。
【００３０】
この構成によれば、本発明に係るデジタル放送受信装置は、デジタル放送に含まれるＰＣＲ及びＰＴＳに基づき、映像データの出力タイミングを制御できる。
【００３１】
また、前記第１デジタル放送及び前記第２デジタル放送は、同一コンテンツに対応する、画質の異なるデジタル放送であり、前記電波は、前記第１デジタル放送及び前記第２デジタル放送が１つのチャンネルに階層化されて放送される電波であってもよい。
【００３２】
この構成によれば、同一コンテンツに対応し、画質の異なる複数のデジタル放送が１つのチャンネルに階層化されて放送されるデジタル放送を受信し、電波状況等に応じて出画するデジタル放送を選択するデジタル放送受信装置において、表示タイミングを変えることなく、視聴対象の放送の切り替え時間を短縮できる。
【００３３】
また、前記第１復号部は、ＭＰＥＧ２又はＨ．２６４に準拠した復号を行い、前記第２復号部は、ＭＰＥＧ２又はＨ．２６４に準拠した復号を行ってもよい。
【００３４】
この構成によれば、本発明に係るデジタル放送受信装置は、ＭＰＥＧ２又はＨ．２６４に準拠し圧縮された映像データを復号できる。
【００３５】
また、前記第１デジタル放送及び前記第２デジタル放送の一方は、地上波デジタル放送におけるフルセグメント放送であり、前記第１デジタル放送及び前記第２デジタル放送の他方は、地上波デジタル放送におけるワンセグメント放送であってもよい。
【００３６】
この構成によれば、地上波デジタル放送におけるフルセグ及びワンセグを復号するデジタル放送受信装置において、表示タイミングを変えることなく、視聴対象の放送の切り替え時間を短縮できる。
【００３７】
また、前記第１デジタル放送及び前記第２デジタル放送の一方は、衛星波デジタル放送における弱階層の放送であり、前記第１デジタル放送及び前記第２デジタル放送の他方は、衛星波デジタル放送における強階層の放送であってもよい。
【００３８】
この構成によれば、衛星波デジタル放送における弱階層及び強階層を復号するデジタル放送受信装置において、表示タイミングを変えることなく、視聴対象の放送の切り替え時間を短縮できる。
【００３９】
また、前記第１デジタル放送及び前記第２デジタル放送は、異なるチャンネルに対応するデジタル放送であり、前記受信部は、異なるチャンネルの２つの電波を同時に受信し、前記復調部は、前記受信部により受信された２つの電波を、それぞれ第１デジタル信号及び第２デジタル信号に復調し、前記第１復号部は、前記第１デジタル信号に含まれる前記第１デジタル放送の映像データを復号し、復号した映像データを出力し、前記第２復号部は、前記第２デジタル信号に含まれる前記第２デジタル放送の映像データを復号し、復号した映像データを出力してもよい。
【００４０】
この構成によれば、本発明に係るデジタル放送受信装置は、表示タイミングを変えることなく、チャンネルの切り替え時間を短縮することで、チャンネルの切り替え時間を短縮できる。これにより、本発明に係るデジタル放送受信装置は、チャンネル切り替え時の違和感を低減できる。
【００４１】
また、本発明に係る半導体集積回路は、圧縮された第１デジタル放送及び第２デジタル放送を含む電波から、前記第１デジタル放送及び前記第２デジタル放送の映像データを復号し、復号した前記第１デジタル放送又は前記第２デジタル放送の映像データを出力する半導体集積回路であって、前記電波をデジタル信号に復調する復調部と、前記デジタル信号に含まれる基準となるクロックの情報から生成されたクロックでカウント値をカウントするカウンタ部と、前記デジタル信号に含まれる第１デジタル放送の映像データを復号し、復号した映像データを出力する第１復号部と、前記デジタル信号に含まれる第２デジタル放送の映像データを復号し、復号した映像データを出力する第２復号部と、前記第１復号部により出力される映像データ及び前記第２復号部により出力される映像データのうち一方を選択する選択部と、前記選択部により選択された映像データを出力する出力部とを備え、前記第１復号部は、前記第１復号部により出力される映像データが前記選択部により選択されている場合、前記デジタル信号に含まれる、当該映像データの表示時刻を示すタイムスタンプと、前記カウント値との差が所定値内のときに当該映像データ出力する同期復号部と、前記第１復号部により出力される映像データが前記選択部により選択されていない場合、予め定められた周期のタイミングに対してオフセット値分だけ遅らせた、又は早めたタイミングで当該映像データを出力する非同期復号部とを備える。
【００４２】
この構成によれば、第１復号部は、出力される映像データを復号する場合、基準となるクロックに同期した復号処理を行う。これにより、本発明に係る半導体集積回路では、出力される映像データの表示タイミングは遅れない。
【００４３】
さらに、第１復号部は、視聴対象として選択されていない放送の映像データを基準となるクロックとは非同期なタイミングで復号し出力する。また、本発明に係る半導体集積回路は、視聴対象の放送が切り替えられた際に、非同期復号部により復号された映像データを出力することで、切り替え後に復号処理を開始する場合に比べて、映像データを出力するまでの時間を短縮できる。
【００４４】
さらに、本発明に係る半導体集積回路は、視聴対象として選択されていない放送の映像データの復号及び出力に関しては、カウンタ部のカウント値を用いない。よって、本発明に係る半導体集積回路は、１つのカウンタ部のみを備えればよい。これにより、本発明に係る半導体集積回路は、第１デジタル放送用及び第２デジタル放送用に２つのカウンタ部を備える場合に比べて、回路規模を縮小できる。
【００４５】
さらに、非同期復号部は、予め定められた周期のタイミングに対してオフセット値分遅れた、又は早めたタイミングで映像データを出力する。これにより、非同期復号部により映像データが出力されるタイミングを基準となるクロックにあわすことができる。よって、本発明に係る半導体集積回路は、切り替え時に、非同期復号部で復号された映像データを直ちに出力できる。つまり、本発明に係る半導体集積回路は、視聴対象が切り替えられた際の切り替え時間を短縮できる。
【００４６】
また、本発明に係るデジタル放送受信方法は、圧縮された第１デジタル放送及び第２デジタル放送を含む電波から、前記第１デジタル放送及び前記第２デジタル放送の映像データを復号し、復号した前記第１デジタル放送又は前記第２デジタル放送の映像データを出力するデジタル放送受信装置におけるデジタル放送受信方法であって、前記デジタル放送受信装置は、前記電波をデジタル信号に復調する復調部と、前記デジタル信号に含まれる基準となるクロックの情報から生成されたクロックでカウント値をカウントするカウンタ部と、前記デジタル信号に含まれる第１デジタル放送の映像データを復号し、復号した映像データを出力する第１復号部と、前記デジタル信号に含まれる第２デジタル放送の映像データを復号し、復号した映像データを出力する第２復号部と、前記第１復号部により出力される映像データ及び前記第２復号部により出力される映像データのうち一方を選択する選択部と、前記選択部により選択された映像データを出力する出力部とを備え、前記第１復号部により出力される映像データが前記選択部により選択されている場合、前記第１復号部に、前記デジタル信号に含まれる、当該映像データの表示時刻を示すタイムスタンプと、前記カウント値との差が所定値内のときに当該映像データ出力させ、前記第１復号部により出力される映像データが前記選択部により選択されていない場合、前記第１復号部に、予め定められた周期のタイミングに対してオフセット値分だけ遅らせた、又は早めたタイミングで当該映像データを出力させる。
【００４７】
これによれば、第１復号部は、出力される映像データを復号する場合、基準となるクロックに同期した復号処理を行う。これにより、本発明に係るデジタル放送受信方法では、出力される映像データの表示タイミングは遅れない。
【００４８】
さらに、第１復号部は、視聴対象として選択されていない放送の映像データを基準となるクロックとは非同期なタイミングで復号し出力する。また、本発明に係るデジタル放送受信方法では、視聴対象の放送が切り替えられた際に、基準となるクロックとは非同期に復号された映像データを出力することで、切り替え後に復号処理を開始する場合に比べて、映像データを出力するまでの時間を短縮できる。
【００４９】
さらに、本発明に係るデジタル放送受信方法は、視聴対象として選択されていない放送の映像データの復号及び出力に関しては、カウンタ部のカウント値を用いない。よって、本発明に係るデジタル放送受信方法を用いたデジタル放送受信装置は、１つのカウンタ部のみを備えればよい。これにより、本発明に係るデジタル放送受信方法を用いたデジタル放送受信装置は、第１デジタル放送用及び第２デジタル放送用に２つのカウンタ部を備える場合に比べて、回路規模を縮小できる。
【００５０】
さらに、視聴対象として選択されていない場合、第１復号部は、予め定められた周期のタイミングに対してオフセット値分遅れた、又は早めたタイミングで映像データを出力する。これにより、視聴対象として選択されていない場合の第１復号部から映像データが出力されるタイミングを基準となるクロックにあわすことができる。よって、本発明に係るデジタル放送受信方法は、切り替え時に、非同期復号部で復号された映像データを直ちに出力できる。つまり、本発明に係るデジタル放送受信方法は、視聴対象が切り替えられた際の切り替え時間を短縮できる。
【００５１】
なお、本発明は、このようなデジタル放送受信装置及び半導体集積回路として実現できるだけでなく、デジタル放送受信装置に含まれる特徴的な手段をステップとするデジタル放送受信方法として実現したり、そのような特徴的なステップをコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。
【発明の効果】
【００５２】
以上より、本発明は、表示タイミングを遅らすことなく、切り替え時間を短縮できるデジタル放送受信装置及びデジタル放送受信方法を提供できる。
【発明を実施するための最良の形態】
【００５３】
以下、本発明に係るデジタル放送受信装置の実施の形態について、図面を参照しながら詳細に説明する。なお、デジタル放送受信装置の基本的な構成や動作等については当業者には既知であるため、詳しい説明を省略する。
【００５４】
また、ここでは一実施例として、地上波デジタルテレビ放送において、フルセグと、ワンセグとが複数の階層（セグメント）を含む１つのチャンネルで同時に送信されている場合について説明する。
【００５５】
地上波デジタル放送では、１つのチャンネルが１３のセグメントに分かれた構造となっている。１３のセグメントのうち、フルセグ（ハイビジョン放送）には１２セグメントが割り当てられ、ワンセグには１セグメントが割り当てられている。また、通常画質の放送には４セグメントが割り当てられている。
【００５６】
ワンセグは、フルセグに比べ低画質であるが、電波状況が悪い場合でも受信を行いやすい。また、ワンセグとフルセグとでは、同一のコンテンツが放送される。
【００５７】
また、地上波デジタル放送では、圧縮された映像データが送信される。フルセグの圧縮形式はＭＰＥＧ２であり、ワンセグの圧縮形式はＨ．２６４である。
【００５８】
まず、本発明の実施の形態に係るデジタル放送受信装置の構成を説明する。
例えば、本発明の実施の形態に係るデジタル放送受信装置は、カーナビゲーションシステム又は車載テレビが備えるデジタル放送受信装置である。なお、本発明の実施の形態に係るデジタル放送受信装置は、携帯用ＴＶ、ＴＶ機能付きのノート型パーソナルコンピュータ、携帯情報端末（ＰＤＡ）、及び携帯電話機器等に適用してもよい。
【００５９】
図１は、本発明の実施の形態に係るデジタル放送受信装置の機能構成を示すブロック図である。
【００６０】
図１に示すデジタル放送受信装置１００は、フルセグとワンセグとが１つのチャンネルに階層化されて送信される地上波デジタル放送の電波を受信する。デジタル放送受信装置１００は、受信した電波からフルセグ及びワンセグの映像データを並列に復号し、フルセグ又はワンセグの映像データを選択的に出力する。
【００６１】
デジタル放送受信装置１００は、受信アンテナ１０１と、チューナ部１０２と、復調部１０３と、ＴＳ（トランスポートストリーム）処理部１０４と、ワンセグ復号部１０５と、フルセグ復号部１０６と、内部カウンタ１０７と、切替部１０８と、復号制御部１０９と、出力部１１０とを備える。
【００６２】
受信アンテナ１０１は、地上波デジタル放送の電波を受信する受信アンテナである。
チューナ部１０２は、受信アンテナ１０１を介して地上波デジタル放送の電波を受信する。チューナ部１０２は、受信アンテナ１０１により受信された電波から、特定の周波数帯域の電波を抽出する。つまり、チューナ部１０２は、地上波デジタル放送の所定のチャンネルを選択し、所定のチャンネルの電波を抽出する。
【００６３】
復調部１０３は、チューナ部１０２により抽出された電波をデジタル信号に復調する。具体的には、復調部１０３は、チューナ部１０２により抽出された電波を複数のトランスポートストリームパケット（ＴＳパケット）からなるトランスポートストリームに変換する。
【００６４】
ＴＳ処理部１０４は、復調部１０３により復調されたデジタル信号に含まれるデータを分離する。具体的には、各ＴＳパケットはそれぞれ、映像データ又は放送情報等に対応する。ＴＳ処理部１０４は、復調部１０３により復調されトランスポートストリームに含まれるＴＳパケットを映像データと、放送情報とに分離する。
【００６５】
ワンセグ復号部１０５は、ＴＳ処理部１０４により分離された複数のデータのうち、ワンセグに用いられるデータを映像データに復号する。つまり、ワンセグ復号部１０５は、ＴＳ処理部１０４により分離された複数のデータのうち、ワンセグの映像データが圧縮されたデータを復号する。
【００６６】
ワンセグ復号部１０５は、Ｈ．２６４に準拠した復号を行う。具体的には、ワンセグ復号部１０５は、分離されたデータを可変長復号化することで量子化直交変換係数を生成し、当該量子化直交変換係数に逆量子化処理及び逆直交変換処理を行うことで差分画素値を生成し、参照画像から予測画像データを生成し、当該差分画素値と当該予測画像データとから映像データを生成する。また、ワンセグ復号部１０５は、Ｈ．２６４で規定されているデブロックフィルタ処理を行う。デブロックフィルタ処理は、ピクチャ内における復号化の処理単位であるマクロブロック境界に生じるノイズを低減するためのフィルタ処理である。
【００６７】
ワンセグ復号部１０５は、復号した映像データを切替部１０８に出力する。
フルセグ復号部１０６は、ＴＳ処理部１０４により分離された複数のデータのうち、フルセグに用いられるデータを映像データに復号する。つまり、フルセグ復号部１０６は、ＴＳ処理部１０４により分離された複数のデータのうち、フルセグの映像データが圧縮されたデータを復号する。
【００６８】
フルセグ復号部１０６は、ＭＰＥＧ２に準拠した復号を行う。具体的には、フルセグ復号部１０６は、分離されたデータを可変長復号化することで量子化直交変換係数を生成し、当該量子化直交変換係数に逆量子化処理及び逆直交変換処理を行うことで差分画素値を生成し、参照画像から予測画像データを生成し、当該差分画素値と当該予測画像データとから映像データを生成する。
【００６９】
フルセグ復号部１０６は、復号した映像データを切替部１０８に出力する。
また、ワンセグ復号部１０５及びフルセグ復号部１０６は、それぞれワンセグの映像データとフルセグの映像データとを並列に復号し、復号した映像データを切替部１０８に出力する。
【００７０】
内部カウンタ１０７は、ＴＳ処理部１０４により分離されたデータに含まれるＰＣＲ（Ｐｒｏｇｒａｍ  Ｃｌｏｃｋ  Ｒｅｆｅｒｅｎｃｅ）に同期した内部クロックを生成する。内部カウンタ１０７は、生成した内部クロックに同期してカウント値をカウントする。ＰＣＲは、一つの番組の基準となる時間を示す情報であり、トランスポートストリームの送受信において、送信側と受信側とで時刻同期を取る際の、基準となるクロックの情報である。また、内部カウンタ１０７がカウントするカウント値とは、具体的には、ＳＴＣ（Ｓｙｓｔｅｍ  Ｔｉｍｅ  Ｃｌｏｃｋ）である。つまり、内部カウンタ１０７は、ＰＣＲからＳＴＣを復元する。
【００７１】
また、内部カウンタ１０７は、視聴対象の放送がフルセグの場合は、フルセグに対応するＰＣＲに同期した内部クロックを生成し、視聴対象の放送がワンセグの場合は、ワンセグに対応するＰＣＲに同期した内部クロックを生成する。
【００７２】
切替部１０８は、ワンセグ復号部１０５及びフルセグ復号部１０６により生成された映像データのうち一方を選択し、選択した映像データを出力部１１０に出力する。つまり、切替部１０８により、デジタル放送受信装置１００から出力される映像データ（ワンセグ又はフルセグ）が切り替えられる。
【００７３】
復号制御部１０９は、デジタル放送信号の受信状況、及びデジタルデータの復元状況等に応じて、切替部１０８にフルセグ又はワンセグの切り替えを指示する。具体的には、復号制御部１０９は、デジタル放送信号の受信状況が良く、フルセグ復号部１０６においてフルセグの映像データを良好に復元できている場合に、切替部１０８にフルセグを選択させる。復号制御部１０９は、デジタル放送信号の受信状況が悪く、フルセグの映像データを良好に復元できない場合に、切替部１０８にワンセグを選択させる。なお、復号制御部１０９は、視聴者等による操作に基づき、視聴対象の放送を切り替えてもよい。
【００７４】
また、復号制御部１０９は、切替部１０８にフルセグを選択させる場合、フルセグ復号部１０６にクロック同期復号処理を行うように指示し、かつワンセグ復号部１０５に非同期復号処理を行うように指示する。つまり、ワンセグ復号部１０５及びフルセグ復号部１０６は、自身が出力する映像データが、切替部１０８により選択されている場合に、クロック同期復号処理を行い、選択されていない場合に、非同期復号処理を行う。
【００７５】
ここで、クロック同期復号処理とは、内部カウンタ１０７のカウント値に同期したタイミングで、復号した映像データを出力する処理である。具体的には、クロック同期復号処理とは、映像データに含まれるＰＴＳ（Ｐｒｅｓｅｎｔａｔｉｏｎ  Ｔｉｍｅ  Ｓｔａｍｐ）と内部カウンタ１０７のカウント値との差が所定値内となるタイミングで、復号した映像データを出力する処理である。ＰＴＳは、映像及び音声の同期再生のための時間情報であり、映像データ（映像及び音声）を表示する時刻を示すタイムスタンプである。例えば、クロック同期復号処理では、ワンセグの映像データは６６ｍ秒周期で出力され、フルセグの映像データは３３ｍ秒周期で出力される。
【００７６】
また、非同期復号処理とは、内部カウンタ１０７のカウント値に非同期なタイミングで、映像データを出力する処理である。非同期復号処理とは、所定の周期のタイミングに対して、予め設定されたオフセット値分だけ遅らせた、又は早めた一定間隔で、復号した映像データを出力する処理である。当該所定の周期は、クロック同期復号処理において映像データが出力される周期と略等しい。例えば、当該所定の周期は、ワンセグの場合６６ｍ秒であり、フルセグの場合３３ｍ秒である。また、非同期復号処理における映像データの出力タイミング（所定の周期のタイミング）は、内部カウンタ１０７のカウント値とは異なるローカルクロックにより決定される。
【００７７】
また、復号制御部１０９は、切替部１０８にワンセグを選択させる場合、ワンセグ復号部１０５にクロック同期復号処理を行うように指示し、かつフルセグ復号部１０６に非同期復号処理を使用するように指示する。
【００７８】
出力部１１０は、切替部１０８により選択された映像データを出力する。出力部１１０により出力された映像データは、例えば、車内の表示部（ディスプレイ）に表示される。
【００７９】
ここで、復調部１０３、ＴＳ処理部１０４、ワンセグ復号部１０５、フルセグ復号部１０６、内部カウンタ１０７、切替部１０８、復号制御部１０９、及び出力部１１０は、１チップ又は複数チップの半導体集積回路として形成される。なお、各処理部が実現する機能は、半導体集積回路に形成される専用の回路（ハードウェア）により実現されてもよいし、ＣＰＵ等がプログラムを実行すること（ソフトウェア）により実現されてもよい。
【００８０】
図２は、ワンセグ復号部１０５の詳細な構成を示すブロック図である。ワンセグ復号部１０５は、クロック同期復号部２０１と、非同期復号部２０２とを備える。
【００８１】
クロック同期復号部２０１は、クロック同期復号処理を行う。具体的には、クロック同期復号部２０１は、ＴＳ処理部１０４により分離されたワンセグのデータを復号する。クロック同期復号部２０１は、当該データに含まれるＰＴＳと内部カウンタ１０７のカウント値との差が所定値内のときに復号結果を出力する。つまり、クロック同期復号部２０１は、ＰＣＲに示されるタイミングに同期したタイミングで映像データを出力する。
【００８２】
非同期復号部２０２は、非同期復号処理を行う。具体的には、非同期復号部２０２は、ＴＳ処理部１０４により分離されワンセグのデータを復号する。非同期復号部２０２は、ＰＣＲに示されるタイミングに対して非同期に、復号した映像データを出力する。
【００８３】
非同期復号部２０２は、オフセット設定部２０３を備える。
オフセット設定部２０３は、オフセット値を設定する。オフセット値は、視聴対象の放送が切り替えられた時刻から、切り替え後の放送の映像データが出力されるまでの時間である。
【００８４】
非同期復号部２０２は、オフセット設定部２０３で設定されたオフセット値分だけ所定の周期のタイミングに対して遅らせた、又は早めた一定間隔で復号結果を出力する。
【００８５】
また、オフセット設定部２０３により設定されるオフセット値には、所定の周期のタイミングに対して進んだタイミング、及び遅れたタイミングのいずれで映像データを出力するかの情報が含まれる。例えば、非同期復号部２０２は、オフセット値が正の値の場合には、所定の周期のタイミングに対してオフセット値分遅れたタイミングで映像データを出力し、オフセット値が負の場合には、所定の周期のタイミングに対してオフセット値分進んだタイミングで映像データを出力する。
【００８６】
オフセット設定部２０３はオフセット計測部２０４とオフセット値格納部２０５とを備える。
【００８７】
オフセット計測部２０４は、切替部１０８により視聴対象の放送がフルセグからワンセグに切り替えられた時刻から、ワンセグ復号部１０５により映像データが出力されるまでの時間を計測する。具体的には、オフセット計測部２０４は、復号制御部１０９により、復号処理を行う復号部が非同期復号部２０２からクロック同期復号部２０１に切り替えられた時刻において非同期復号部２０２により復号されている映像データのＰＴＳと、当該時刻における内部カウンタ１０７のカウント値との差分値を算出することで、映像データが出力されるまでの時間（差分値）を計測する。
【００８８】
オフセット値格納部２０５は、オフセット計測部２０４によって計測された時間（差分値）をオフセット値２０６として格納する。
【００８９】
オフセット設定部２０３は、オフセット計測部２０４によって計測された時間を、次に視聴対象の放送がワンセグからフルセグに切り替えられた際に、非同期復号部２０２で用いられるオフセット値として設定する。
【００９０】
また、オフセット設定部２０３は、切替部１０８により視聴対象の放送がフルセグからワンセグに切り替えられる毎に、映像データが出力されるまでの時間を計測し、オフセット値２０６を更新する。具体的には、オフセット設定部２０３は、新たにオフセット計測部２０４により計測された映像データが出力されるまでの時間と、オフセット値格納部２０５に格納されているオフセット値２０６とを加算したうえで、新たなオフセット値２０６としてオフセット値格納部２０５に格納する。
【００９１】
更新されたオフセット値２０６は、次に視聴対象の放送がワンセグからフルセグに切り替えられた際に、非同期復号部２０２で用いられる。
【００９２】
クロック同期復号部２０１は、切替部１０８により選択される映像データが、フルセグ復号部１０６が出力する映像データからワンセグ復号部１０５が出力する映像データに切り替えられた後に最初に出力する映像データとして、非同期復号部２０２により復号された映像データを出力する。クロック同期復号部２０１は、非同期復号部２０２により復号された映像データのＰＴＳと内部カウンタ１０７のカウント値との差が所定値内のときに非同期復号部２０２により復号された映像データを出力する。
【００９３】
また、クロック同期復号部２０１及び非同期復号部２０２のうちいずれか一方により、復号処理が行われる。クロック同期復号部２０１と非同期復号部２０２のどちらを使用するかの選択は復号制御部１０９により行われる。
【００９４】
図３は、フルセグ復号部１０６の詳細な構成を示すブロック図である。フルセグ復号部１０６の構成は、復号するデータが異なる点以外は、ワンセグ復号部１０５と同様である。フルセグ復号部１０６は、クロック同期復号部３０１と、非同期復号部３０２とを備える。
【００９５】
クロック同期復号部３０１は、クロック同期復号処理を行う。具体的には、クロック同期復号部３０１は、ＴＳ処理部１０４により分離されたフルセグのデータを復号する。クロック同期復号部３０１は、当該データに含まれるＰＴＳと内部カウンタ１０７のカウント値との差が所定値内のときに復号結果を出力する。つまり、クロック同期復号部３０１は、ＰＣＲに示されるタイミングに同期したタイミングで映像データを出力する。
【００９６】
非同期復号部３０２は、非同期復号処理を行う。具体的には、非同期復号部３０２は、ＴＳ処理部１０４により分離されフルセグのデータを復号する。非同期復号部３０２は、ＰＣＲに示されるタイミングに対して非同期に、復号した映像データを出力する。
【００９７】
非同期復号部３０２は、オフセット設定部３０３を備える。
オフセット設定部３０３は、オフセット値を設定する。オフセット値は、視聴対象の放送が切り替えられた時刻から、切り替え後の放送の映像データが出力されるまでの時間である。
【００９８】
非同期復号部３０２は、オフセット設定部３０３で設定されたオフセット値分だけ所定の周期のタイミングに対して遅らせた、又は早めた一定間隔で復号結果を出力する。
【００９９】
また、オフセット設定部３０３により設定されるオフセット値には、所定の周期のタイミングに対して進んだタイミング、及び遅れたタイミングのいずれで映像データを出力するかの情報が含まれる。例えば、非同期復号部３０２は、オフセット値が正の値の場合には、所定の周期のタイミングに対してオフセット値分遅れたタイミングで映像データを出力し、オフセット値が負の場合には、所定の周期のタイミングに対してオフセット値分進んだタイミングで映像データを出力する。
【０１００】
オフセット設定部３０３はオフセット計測部３０４とオフセット値格納部３０５とを備える。
【０１０１】
オフセット計測部３０４は、切替部１０８により視聴対象の放送がワンセグからフルセグに切り替えられた時刻から、フルセグ復号部１０６により映像データが出力されるまでの時間を計測する。具体的には、オフセット計測部３０４は、復号制御部１０９により、復号処理を行う復号部が非同期復号部３０２からクロック同期復号部３０１に切り替えられた時刻において非同期復号部３０２により復号されている映像データのＰＴＳと、当該時刻における内部カウンタ１０７のカウント値との差分値を算出することで、映像データが出力されるまでの時間（差分値）を計測する。
【０１０２】
オフセット値格納部３０５は、オフセット計測部３０４によって計測された時間をオフセット値３０６として格納する。
【０１０３】
オフセット設定部３０３は、オフセット計測部３０４によって計測された時間を、次に視聴対象の放送がフルセグからワンセグに切り替えられた際に、非同期復号部３０２で用いられるオフセット値として設定する。
【０１０４】
また、オフセット設定部３０３は、切替部１０８により視聴対象の放送がワンセグからフルセグに切り替えられる毎に、映像データが出力されるまでの時間を計測し、オフセット値３０６を更新する。具体的には、オフセット設定部３０３は、新たにオフセット計測部３０４により計測された映像データが出力されるまでの時間と、オフセット値格納部３０５に格納されているオフセット値３０６とを加算したうえで、新たなオフセット値３０６としてオフセット値格納部３０５に格納する。
【０１０５】
更新されたオフセット値３０６は、次に視聴対象の放送がフルセグからワンセグに切り替えられた際に、非同期復号部３０２で用いられる。
【０１０６】
クロック同期復号部３０１は、切替部１０８により選択される映像データが、ワンセグ復号部１０５が出力する映像データからフルセグ復号部１０６が出力する映像データに切り替えられた後に最初に出力する映像データとして、非同期復号部３０２により復号された映像データを出力する。クロック同期復号部３０１は、非同期復号部３０２により復号された映像データのＰＴＳと内部カウンタ１０７のカウント値との差が所定値内のときに非同期復号部３０２により復号された映像データを出力する。
【０１０７】
また、クロック同期復号部３０１及び非同期復号部３０２のうちいずれか一方により、復号処理が行われる。クロック同期復号部３０１と非同期復号部３０２のどちらを使用するかの選択は復号制御部１０９により行われる。
【０１０８】
次に、デジタル放送受信装置１００の動作を説明する。
図４は、デジタル放送受信装置１００の再生動作の流れを示すフローチャートである。図４に示すフローチャートは、デジタル放送受信装置１００が、既に放送を受信中の状態を示す。
【０１０９】
まず、復号制御部１０９は、視聴対象の放送の切り替えが発生したか否かを検出する（Ｓ１０１）。
【０１１０】
視聴対象の放送の切り替えが発生した場合（Ｓ１０１でＹｅｓ）、復号制御部１０９は、切替部１０８が切り替え後の視聴対象の放送としてワンセグ及びフルセグのうちどちらを選択しているか判定する（Ｓ１０２）。つまり、復号制御部１０９は、視聴対象の放送が、フルセグからワンセグに切り替えられたのか、ワンセグからフルセグに切り替えられたのかを判定する。
【０１１１】
切替部１０８がワンセグを選択している場合（Ｓ１０２でワンセグ）、ＴＳ処理部１０４により分離されたデジタルデータのうちワンセグ用のＰＣＲが取得され、内部カウンタ１０７が更新される（Ｓ１０３）。内部カウンタ１０７は、ワンセグ用のＰＣＲに同期した内部クロックを生成する。内部カウンタ１０７は、生成した内部クロックに同期してカウント値をカウントする。
【０１１２】
次に、復号制御部１０９は、ワンセグ復号部１０５の復号処理方法として、クロック同期復号部２０１によるクロック同期復号処理を指示する（Ｓ１０４）。
【０１１３】
また、復号制御部１０９は、フルセグ復号部１０６のオフセット値格納部３０５にオフセット値３０６が格納されているか否かを判定する（Ｓ１０５）。
【０１１４】
復号制御部１０９は、フルセグ復号部１０６の復号処理方法として、非同期復号部３０２による非同期復号処理を指示する。具体的には、オフセット値３０６が格納されている場合（Ｓ１０５でＹｅｓ）、復号制御部１０９は、フルセグ復号部１０６にオフセット値３０６を反映した非同期復号処理を指示する（Ｓ１０６）。一方、オフセット値３０６が格納されていない場合（Ｓ１０５でＮｏ）、復号制御部１０９は、フルセグ復号部１０６にオフセット値３０６を反映しない非同期復号処理を指示する（Ｓ１０７）。
【０１１５】
ワンセグ復号部１０５は、ステップＳ１０３において指示された復号処理方法を用いた復号処理を開始する。フルセグ復号部１０６は、ステップＳ１０６又はＳ１０７において指示された復号処理方法を用いた復号処理を開始する。具体的には、ワンセグ復号部１０５は、ＴＳ処理部１０４により分離されたワンセグのデータをクロック同期復号処理する。フルセグ復号部１０６は、ＴＳ処理部１０４により分離されたフルセグのデータを非同期復号処理する。
【０１１６】
次に、ワンセグ復号部１０５のオフセット計測部２０４は、オフセット値を計測する（Ｓ１０８）。具体的には、オフセット計測部２０４は、Ｓ１０１で切り替えが発生した時刻から、ワンセグ復号部１０５により映像データが出力されるまでの時間を計測する。オフセット設定部２０３は、オフセット計測部２０４により計測された時間をオフセット値２０６としてオフセット値格納部２０５に格納する。また、オフセット値２０６が既に格納されている場合には、オフセット設定部２０３は、計測された時間と、既にオフセット値格納部２０５が格納しているオフセット値２０６とを加算したうえで、新たなオフセット値２０６としてオフセット値格納部２０５に格納する。
【０１１７】
出力部１１０は、ワンセグ復号部１０５により復号された映像データを出力する（Ｓ１０９）。
【０１１８】
なお、図４において、デジタル放送受信装置１００は、ステップＳ１０３〜Ｓ１０７の順に処理を行っているが、ステップＳ１０３〜Ｓ１０７の処理の順序は任意でよい。さらに、ステップＳ１０３〜Ｓ１０７の処理の一部又は全部を同時に行ってもよい。
【０１１９】
一方、切替部１０８がフルセグを選択している場合（Ｓ１０２でフルセグ）、ＴＳ処理部１０４により分離されたデジタルデータのうちフルセグ用のＰＣＲが取得され、内部カウンタ１０７が更新される（Ｓ１１３）。内部カウンタ１０７は、フルセグ用のＰＣＲに同期した内部クロックを生成する。内部カウンタ１０７は、生成した内部クロックに同期してカウント値をカウントする。
【０１２０】
次に、復号制御部１０９は、フルセグ復号部１０６の復号処理方法として、クロック同期復号部３０１によるクロック同期復号処理を指示する（Ｓ１１４）。
【０１２１】
また、復号制御部１０９は、ワンセグ復号部１０５のオフセット値格納部２０５にオフセット値２０６が格納されているか否かを判定する（Ｓ１１５）。
【０１２２】
復号制御部１０９は、ワンセグ復号部１０５の復号処理方法として、非同期復号部２０２による非同期復号処理を指示する。具体的には、オフセット値２０６が格納されている場合（Ｓ１１５でＹｅｓ）、復号制御部１０９は、ワンセグ復号部１０５にオフセット値２０６を反映した非同期復号処理を指示する（Ｓ１１６）。一方、オフセット値２０６が格納されていない場合（Ｓ１１５でＮｏ）、復号制御部１０９は、ワンセグ復号部１０５にオフセット値２０６を反映しない非同期復号処理を指示する（Ｓ１１７）。
【０１２３】
フルセグ復号部１０６は、ステップＳ１１３において指示された復号処理方法を用いた復号処理を開始する。ワンセグ復号部１０５は、ステップＳ１１６又はＳ１１７において指示された復号処理方法を用いた復号処理を開始する。具体的には、フルセグ復号部１０６は、ＴＳ処理部１０４により分離されたフルセグのデータをクロック同期復号処理する。ワンセグ復号部１０５は、ＴＳ処理部１０４により分離されたワンセグのデータを非同期復号処理する。
【０１２４】
次に、フルセグ復号部１０６のオフセット計測部３０４は、オフセット値を計測する（Ｓ１１８）。具体的には、オフセット計測部３０４は、Ｓ１０１で切り替えが発生した時刻から、フルセグ復号部１０６により映像データが出力されるまでの時間を計測する。オフセット設定部３０３は、オフセット計測部３０４により計測された時間をオフセット値３０６としてオフセット値格納部３０５に格納する。また、オフセット値３０６が既に格納されている場合には、オフセット設定部３０３は、計測された時間と、既にオフセット値格納部３０５が格納しているオフセット値３０６とを加算したうえで、新たなオフセット値３０６としてオフセット値格納部３０５に格納する。
【０１２５】
出力部１１０は、フルセグ復号部１０６により復号された映像データを出力する（Ｓ１１９）。
【０１２６】
なお、図４において、デジタル放送受信装置１００は、ステップＳ１１３〜Ｓ１１７の順に処理を行っているが、ステップＳ１１３〜Ｓ１１７の処理の順序は任意でよい。さらに、ステップＳ１１３〜Ｓ１１７の処理の一部又は全部を同時に行ってもよい。
【０１２７】
次に、図５を用いて視聴対象の放送が切り替えられた際の、デジタル放送受信装置１００の動作を説明する。
【０１２８】
図５は、視聴対象の放送が切り替えられた際の、デジタル放送受信装置１００により出力される映像データを示す図である。
【０１２９】
図５に示すカウント値４００は、フルセグ用のＰＣＲに基づき内部カウンタ１０７がカウントするカウント値であり、カウント値４０１は、ワンセグ用のＰＣＲに基づき内部カウンタ１０７がカウントするカウント値である。なお、実際には、カウント値４００及び４０１のタイミングは必ずしも一致しないが、図５においては説明の簡略化のため一致させている。また、カウント値４００により示されるデータ出力の間隔は、カウント値４０１により示されるデータ出力の間隔の約半分である。具体的には、ワンセグのデータ（ピクチャ）は約６６ｍ秒間隔で出力され、フルセグのデータ（ピクチャ）は約３３ｍ秒間隔で出力される。
【０１３０】
なお、時刻ｔ０より前においては、内部カウンタ１０７はカウント値４０１をカウントしないが、参考のため図５に記載している。同様に、時刻ｔ０より後においては、内部カウンタ１０７はカウント値４００をカウントしないが、参考のため図５に記載している。
【０１３１】
出力データ４０２は、フルセグ復号部１０６のクロック同期復号部３０１により出力されるピクチャである。出力データ４０３は、ワンセグ復号部１０５のクロック同期復号部２０１により出力されるピクチャである。出力データ４０４は、ワンセグ復号部１０５の非同期復号部２０２により出力されるピクチャである。また、出力データ４０３及び４０４は、オフセット値２０６を用いた補正が行われていない場合の出力データを示す。
【０１３２】
出力データ４０５は、オフセット値２０６を用いた補正を行った場合の、クロック同期復号部２０１により出力されるピクチャである。出力データ４０６は、オフセット値２０６を用いた補正を行った場合の、非同期復号部２０２により出力されるピクチャである。
【０１３３】
また、図５において、時刻ｔ０より前では、視聴対象の放送としてフルセグが選択されており、時刻ｔ０において、視聴対象の放送がフルセグからワンセグに切り替えられる。
【０１３４】
時刻ｔ０より前において、内部カウンタ１０７は、フルセグ用のＰＣＲに基づきカウント値４００をカウントする。
【０１３５】
時刻ｔ０より前において、フルセグ復号部１０６のクロック同期復号部３０１は、３３ｍ秒間隔で、ピクチャＦ１、Ｆ２、Ｆ３及びＦ４を順次出力する。具体的には、フルセグ復号部１０６は、カウント値４００と、ピクチャＦ１、Ｆ２、Ｆ３及びＦ４のＰＴＳとが一致するタイミングでピクチャＦ１、Ｆ２、Ｆ３及びＦ４を出力する。
【０１３６】
また、時刻ｔ０より前において、ワンセグ復号部１０５の非同期復号部２０２は、６６ｍ秒間隔で、ピクチャＯ３、Ｏ５及Ｏ７を順次出力する。なお、非同期復号部２０２によるピクチャＯ３、Ｏ５及びＯ７の出力タイミングは、カウント値４００及び４０１とは無関係である。
【０１３７】
なお、ピクチャＦ３とピクチャＯ３とは対応するピクチャである。また、ピクチャＯ５及びピクチャＯ７は、切り替えが発生しなかった場合にクロック同期復号部３０１により復号される、ピクチャＦ４以降のピクチャＦ５及びＦ７にそれぞれ対応するピクチャである。ここで、対応するピクチャとは、解像度が異なる同じ内容のピクチャを意味する。
【０１３８】
時刻ｔ０より前において、切替部１０８は、フルセグ復号部１０６により出力される映像データを選択しているので、出力部１１０により、ピクチャＦ１〜Ｆ４が順次出力される。出力されたピクチャＦ１〜Ｆ４は、ディスプレイ等に表示される。
【０１３９】
時刻ｔ０において、視聴対象の放送がフルセグからワンセグに切り替えられると、内部カウンタ１０７は、ワンセグ用のＰＣＲに基づきカウント値４０１のカウントを開始する。
【０１４０】
ワンセグ復号部１０５のクロック同期復号部２０１は、切り替え前に、非同期復号部２０２により最後に出力されたピクチャＯ７を、切り替え後の最初のピクチャとして出力する。具体的には、クロック同期復号部２０１は、カウント値４０１と、ピクチャＯ７のＰＴＳとが一致するタイミングでピクチャＯ７を出力する。
【０１４１】
その後、クロック同期復号部２０１は、ピクチャＯ７以降のピクチャを復号し、カウント値４０１に同期した６６ｍ秒間隔で復号したピクチャＯ７以降のピクチャを出力する。
【０１４２】
また、時刻ｔ０以降、フルセグ復号部１０６の非同期復号部３０２は、３３ｍ秒間隔で、ピクチャＦ５以降のピクチャをカウント値４００と非同期なタイミングで出力する（図示せず）。
【０１４３】
このように、デジタル放送受信装置１００は、非同期復号部２０２により復号されたピクチャＯ７を、切り替えの後の最初のピクチャとして出力する。これにより、クロック同期復号部２０１は、切り替え後の最初のピクチャを復号しなくてよい。よって、切り替えの後の最初のピクチャを、切り替え後に復号する場合に比べて、デジタル放送受信装置１００は、切り替え後の最初のピクチャを出力するまでの時間を短縮できる。
【０１４４】
さらに、デジタル放送受信装置１００は、視聴対象として選択されていない放送の映像データの復号及び出力に関しては、内部カウンタ１０７のカウント値を用いない。よって、デジタル放送受信装置１００は、１つの内部カウンタ１０７のみを備えればよい。これにより、デジタル放送受信装置１００は、ワンセグ用及びフルセグ用に２つの内部カウンタ１０７を備える場合に比べて、回路規模を縮小できる。
【０１４５】
ここで、非同期復号処理を用いることで、回路規模を縮小できるという効果があるものの、非同期復号部２０２から出力されるピクチャのタイミングと、カウント値４０１とが一致しないという問題が生じる。具体的には、非同期復号部２０２は、カウント値４０１と無関係なタイミングでピクチャを出力しているので、図５に示すように、切り替え時に出力されているピクチャと、切り替え後にカウント値４０１に同期して出力されるピクチャとは一致しない場合がある。このような場合、切り替え後にピクチャＯ７が直ちに出力されないため、視聴者に違和感をあたえることとなる。具体的には、時刻ｔ０からクロック同期復号部２０１によりピクチャＯ７が出力されるまでの時間、映像データが出力されない。なお、図５では説明の簡略化のため、出力データ４０２に対して出力データ４０３が約３ピクチャ分遅れている例を示しているが、数秒の間、映像データが出力されない場合も想定される。
【０１４６】
そこで、デジタル放送受信装置１００は、切り替え後に最初のピクチャが出力されるまでの時間を計測し、次回の切り替え時にオフセット値２０６として用いる。これにより、切り替え時の映像が表示されない時間を短縮できる。
【０１４７】
オフセット計測部２０４は、時刻ｔ０から、クロック同期復号部２０１によりピクチャＯ７が出力されるまでの時間であるオフセット値４０７を計測する。具体的には、オフセット計測部２０４は、非同期復号部２０２により出力されたピクチャＯ７のＰＴＳと、時刻ｔ０における切り替えられた後の内部カウンタ１０７のカウント値４０１との差分を算出することで、オフセット値４０７を算出する。
【０１４８】
算出されたオフセット値４０７は、オフセット値格納部２０５に格納される。オフセット値４０７は、次に視聴対象の放送がワンセグからフルセグに切り替えられた際のオフセット値として用いられる。
【０１４９】
具体的には、次に視聴対象の放送がワンセグからフルセグに切り替えられた場合、非同期復号部２０２は、補正前の出力タイミングに対して、オフセット値４０７分遅れたタイミングで、ピクチャを出力する。これにより、図５に示すようにカウント値４０１と、非同期復号部２０２の出力データ４０６におけるピクチャのタイミングとの差分が減少する。
【０１５０】
具体的には、非同期復号部２０２は、オフセット値４０７分、出力タイミングを遅らす。これにより、切り替え（時刻ｔ０）の直前に、非同期復号部２０２は出力データ４０６としてピクチャＯ５を出力する。よって、クロック同期復号部２０１は、切り替え後の最初のピクチャとしてピクチャＯ５を直ちに出力できる。
【０１５１】
このように、本発明の実施の形態に係るデジタル放送受信装置１００は、非同期復号部２０２においてオフセット値２０６分遅らせたタイミングで映像データを出力することで、視聴対象の放送が切り替えられた際の、映像データが出力されるまでの時間を短縮できる。
【０１５２】
なお、ここでは、クロック同期復号部２０１は、切り替え前に非同期復号部２０２により最後に出力されたピクチャを出力するとしたが、非同期復号部２０２により出力された複数のピクチャを一時的にバッファに保持し、バッファに保持されるピクチャのうち、切り替え時のカウント値４０１の直後のＰＴＳを有するピクチャを出力してもよい。具体的には、図５に示す補正前のクロック同期復号部２０１からの出力データ４０３としてピクチャＯ５を出力してもよい。
【０１５３】
この場合、非同期復号部２０２の出力タイミングと、カウント値４０１とにある程度の差分があっても、切り替え後に直ちにピクチャＯ５を出力できる。しかしながら、非同期復号部２０２の出力タイミングと、カウント値４０１との差分が大きい場合、切り替え後に直ちに出力すべきピクチャがバッファから既に破棄されている場合が想定される。この場合、上述した例と同様に、所定の期間、映像データが出力されない。つまり、このような場合でも、本発明を用いることで、上述した例と同様に、映像データが出力されるまでの時間を短縮できる効果を有する。また、バッファに一時的に蓄積されるデータ量が減少するので、バッファの容量を削減できる。
【０１５４】
また、図５では非同期復号部２０２の出力タイミングが、カウント値４０１より進んでいる例について説明した。以下、非同期復号部２０２の出力タイミングが、カウント値４０１より遅れている場合について説明する。
【０１５５】
非同期復号部２０２の出力タイミングが、カウント値４０１より遅れている場合、切り替えが生じた時点では、非同期復号部２０２は、切り替え後に出力されるピクチャをまだ出力していない。このため、クロック同期復号部２０１は、切り替え後に出力する最初のピクチャを復号し、出力する必要がある。これにより、切り替え後に映像データが出力されるまでに時間がかかってしまう。
【０１５６】
本発明に係るデジタル放送受信装置１００は、非同期復号部２０２の出力タイミングが、カウント値４０１より遅れている場合にも、オフセット値２０６を算出し、次回の切り替え後の非同期復号部２０２の出力タイミングに反映させる。
【０１５７】
具体的には、オフセット計測部２０４は、オフセット計測部２０４は、非同期復号部２０２により最後に出力されたピクチャのＰＴＳと、切り替え時刻における切り替えられた後の内部カウンタ１０７のカウント値４０１との差分を算出する。ここで、非同期復号部２０２により最後に出力されたピクチャのＰＴＳは、カウント値４０１より小さいので、算出される差分は負の値となる。オフセット値格納部２０５は、算出された差分をオフセット値２０６として格納する。
【０１５８】
次に視聴対象の放送がワンセグからフルセグに切り替えられた場合、非同期復号部２０２は、補正前の出力タイミングに対して、オフセット値２０６分早めたタイミングで、ピクチャを出力する。これにより、フルセグからワンセグへの切り替え時に、切り替え後に最初に出力されるピクチャが、非同期復号部２０２により既に出力されているので、クロック同期復号部２０１は、切り替え後に最初に出力するピクチャを復号しなくてもよい。これにより、デジタル放送受信装置１００は、非同期復号部２０２による映像データの出力タイミングが、内部カウンタ１０７のカウント値より遅れている場合における、切り替え後に映像データを出力するまでの時間を短縮できる。
【０１５９】
なお、図５を用いて視聴対象の放送がフルセグからワンセグに切り替えられた場合のデジタル放送受信装置１００の動作を説明したが、視聴対象の放送がワンセグからフルセグに切り替えられた場合のデジタル放送受信装置１００の動作も同様であり、説明は省略する。
【０１６０】
以上より、デジタル放送受信装置１００は、視聴対象として選択されている放送の映像データを、ＰＣＲに基づく内部クロックと同期して出力する。よって、デジタル放送受信装置１００により出力される映像データは、実際に表示されるべき時刻に対して遅れて表示されることはない。つまり、デジタル放送受信装置１００では、表示タイミングは変更されない。
【０１６１】
また、デジタル放送受信装置１００は、視聴対象として選択されていない放送の映像データを内部クロックとは非同期なタイミングで出力する。さらに、デジタル放送受信装置１００は、視聴対象の放送が切り替えられた際の、最初に出力する映像データとして、非同期復号部２０２及び３０２により出力される映像データを用いる。これにより、視聴対象の放送が切り替えられてから映像データが出力されるまでの時間を短縮できる。
【０１６２】
また、デジタル放送受信装置１００は、視聴対象として選択されていない放送の映像データの復号及び出力に関しては、内部カウンタ１０７のカウント値を用いないので、デジタル放送受信装置１００は、１つの内部カウンタ１０７のみを備えればよい。これにより、ワンセグ用及びフルセグ用に２つの内部カウンタ１０７を備える場合に比べて、回路規模を縮小できる。
【０１６３】
また、デジタル放送受信装置１００の非同期復号部２０２及び３０２は、内部クロックに対してオフセット値分遅れた、又は早めたタイミングで映像データを出力する。よって、視聴対象の放送が切り替えられてから映像が表示されるまでの時間を予めオフセットに設定することで、出画までにかかる時間を短縮できる。
【０１６４】
さらに、デジタル放送受信装置１００は、視聴対象の放送が切り替えられてから、切り替えられた放送の映像データが出力されるまでの時間をオフセット値として計測する。これにより、デジタル放送受信装置１００は、次回の切り替え時に、映像データが出力されるまでの時間を短縮できるので、切り替え時の違和感を低減できる。
【０１６５】
以上、本発明の一実施例について説明したが、上記実施例は本発明を実現するための一具体例に過ぎず、本発明は他の様々な態様によって実施することができる。
【０１６６】
例えば、上記説明では、ワンセグ及びフルセグの２階層を受信する場合を説明したが、本発明は、これに限らない。例えば、本発明は、衛星波デジタル放送の弱階層、及び強階層の２階層を受信する場合にも適用することができる。なお、強階層は、弱階層に比べ低画質であるが、電波状況が悪い場合でも受信を行いやすい。
【０１６７】
また、上記説明では、ワンセグ及びフルセグの２階層を受信する場合を説明したが、３階層以上を受信する場合にも本発明を適用することができる。
【０１６８】
また、上記説明では、ワンセグ及びフルセグ等の１つのチャンネルに階層化されて放送される放送を切り替える例を説明したが、本発明はこれに限定されるものではない。例えば、本発明は、チューナ部１０２、復調部１０３及びＴＳ処理部１０４を複数備え、複数の異なるチャンネルを同時に受信し復号するデジタル放送受信装置にも適用できる。
【０１６９】
図６は、本発明に係るデジタル放送受信装置１００の変形例の構成を示す図である。なお、図１と同様の要素には同一の符号を付しており、詳細な説明は省略する。
【０１７０】
図６に示すデジタル放送受信装置５００は、２つのチューナ部５０２Ａ及び５０２Ｂと、２つの復調部５０３Ａ及び５０３Ｂと、２つのＴＳ処理部５０４Ａ及び５０４Ｂを備える。
【０１７１】
チューナ部５０２Ａ及び５０２Ｂは、異なるチャンネルの電波をそれぞれ受信する。つまり、チューナ部５０２Ａ及び５０２Ｂにより、異なるチャンネルの２つの電波が同時に受信される。
【０１７２】
復調部５０３Ａ及び５０３Ｂは、それぞれ、チューナ部５０２Ａ及び５０２Ｂにより受信された電波を、デジタル信号に復調する。
【０１７３】
ＴＳ処理部５０４Ａ及び５０４Ｂは、それぞれ、復調部５０３Ａ及び５０３Ｂにより復調されたデジタル信号を分離する。
【０１７４】
また、デジタル放送受信装置５００は、上述したワンセグ復号部１０５及びフルセグ復号部１０６にそれぞれ対応する第１復号部５０５及び第２復号部５０６を備える。
【０１７５】
第１復号部５０５及び第２復号部５０６は、それぞれ、ＴＳ処理部５０４Ａ及び５０４Ｂにより分離されたデータを復号し、映像データを切替部１０８に出力する。
【０１７６】
なお、復号制御部１０９による第１復号部５０５及び第２復号部５０６に対する復号処理の制御（クロック同期復号処理、又は非同期復号処理を選択する制御）は、上述したワンセグ復号部１０５及びフルセグ復号部１０６に対する制御と同様の方法を用いることができる。
【０１７７】
このように、本発明は、複数の異なるチャンネルを同時に受信し復号するデジタル放送受信装置５００として実施することもできる。
【０１７８】
また、上記説明では、オフセット値格納部２０５は、オフセット計測部２０４によりオフセット値２０６が計測される前の状態では、オフセット値２０６を保持しないとしたが、オフセット値格納部２０５は、オフセット値２０６として予め設定された初期値を格納してもよい。例えば、当該初期値は、外部装置等より設定された値であり、フルセグからワンセグに視聴対象の放送が切り替えられてから、ワンセグの映像データが出力されるまでの時間に対応する値である。
【０１７９】
また、オフセット設定部２０３は、新たにオフセット計測部２０４により計測された時間と、オフセット値格納部２０５に格納されている前回のオフセット値とを加算したうえ、加算結果と、前回のオフセット値との平均値を算出し、算出した平均値を新たなオフセット値２０６としてオフセット値格納部２０５に格納してもよい。
【０１８０】
これにより、デジタル放送受信装置１００は、電波状態が悪くＣＮが低い等により、オフセット計測部２０４による時間の計測が失敗した場合でも、前回のオフセット値との平均をとることでオフセット値に乖離した値が設定されることを防止できる。
【０１８１】
また、オフセット設定部２０３は、オフセット計測部２０４により計測された時間に、所定の値を加算又は減算したうえで、オフセット値２０６としてオフセット値格納部２０５に格納してもよい。また、オフセット設定部２０３は、オフセット計測部２０４により計測された時間と、所定の係数との積をオフセット値２０６としてオフセット値格納部２０５に格納してもよい。
【０１８２】
また、オフセット値格納部２０５は、チューナ部１０２が受信可能な複数の電波（チャンネル）のそれぞれに対応し、対応する電波の受信時に、オフセット計測部２０４により計測されたオフセット値（計測時間）を格納する複数のオフセット値格納部２０５を備えてもよい。この場合、オフセット設定部２０３は、チューナ部１０２により受信される電波（チャンネル）が変更された際に、複数のオフセット値格納部２０５のうち変更された後の電波（チャンネル）に対応するオフセット値格納部２０５に格納されているオフセット値（計測時間）を非同期復号部２０２で用いられるオフセット値として設定する。
【０１８３】
これにより、デジタル放送受信装置１００は、受信する電波（チャンネル）が変更された際に、乖離したオフセット値が設定されることを防止できる。
【０１８４】
また、オフセット設定部２０３は、チューナ部１０２により受信される電波（チャンネル）が変更された際に、オフセット値を所定の初期値に戻してもよい。
【０１８５】
これにより、オフセット設定部２０３は、受信する電波（チャンネル）が変更された場合でも、適切なオフセット値を設定できる。
【０１８６】
また、デジタル放送受信装置１００は、オフセット計測部２０４を備えず、外部装置等から入力された予め定められたオフセット値を用いてもよい。
【０１８７】
また、上記説明では、オフセット値２０６を用いて、非同期復号部２０２の出力タイミングを補正するとしたが、非同期復号部２０２の復号タイミングを補正してもよい。
【０１８８】
なお、上記変形例は、フルセグ復号部１０６に対して適用してもよい。さらに、ワンセグ復号部１０５及びフルセグ復号部１０６のいずれか一方のみに適用してもよい。
【０１８９】
また、上記説明では、ワンセグ復号部１０５及びフルセグ復号部１０６が共に、クロック同期復号部２０１又は３０１と、非同期復号部２０２又は３０２とを備えるとしたが、ワンセグ復号部１０５及びフルセグ復号部１０６のいずれか一方のみがクロック同期復号部２０１又は３０１と、非同期復号部２０２又は３０２とを備えてもよい。この場合でも、ワンセグからフルセグへの切り替え、及びフルセグからワンセグへの切り替えの一方において、切り替え時間を短縮できる。
【産業上の利用可能性】
【０１９０】
本発明は、地上波デジタル放送及び衛星波デジタル放送等のデジタル放送受信装置に適用できる。特に、車載テレビ、携帯用ＴＶ、カーナビゲーションシステム、ノート型パーソナルコンピュータ、ＰＤＡ及び携帯電話機器等の携帯機器及び移動体に搭載されるデジタル放送受信装置に適用できる。
【図面の簡単な説明】
【０１９１】
【図１】本発明の実施の形態に係るデジタル放送受信装置の機能構成を示すブロック図である。
【図２】本発明の実施の形態に係るワンセグ復号部の機能構成を示すブロック図である。
【図３】本発明の実施の形態に係るフルセグ復号部の機能構成を示すブロック図である。
【図４】本発明の実施の形態に係るデジタル放送受信装置による処理の流れを示すフローチャートである。
【図５】本発明の実施の形態に係るデジタル放送受信装置において、視聴対象の放送が切り替えられた際の、出力される映像データを示す図である。
【図６】本発明の実施の形態に係るデジタル放送受信装置の変形例の機能構成を示すブロック図である。
【符号の説明】
【０１９２】
１００、５００  デジタル放送受信装置
１０１  受信アンテナ
１０２、５０２Ａ、５０２Ｂ  チューナ部
１０３、５０３Ａ、５０３Ｂ  復調部
１０４、５０４Ａ、５０４Ｂ  ＴＳ処理部
１０５  ワンセグ復号部
１０６  フルセグ復号部
１０７  内部カウンタ
１０８  切替部
１０９  復号制御部
１１０  出力部
２０１、３０１  クロック同期復号部
２０２、３０２  非同期復号部
２０３、３０３  オフセット設定部
２０４、３０４  オフセット計測部
２０５、３０５  オフセット値格納部
２０６、３０６  オフセット値
４００、４０１  カウント値
４０２、４０３、４０４、４０５、４０６  出力データ
４０７  オフセット値
５０５  第１復号部
５０６  第２復号部
【図１】
0005236938.tif 000002
【図２】
0005236938.tif 000003
【図３】
0005236938.tif 000004
【図４】
0005236938.tif 000005
【図５】
0005236938.tif 000006
【図６】
0005236938.tif 000007